(57)【要約】【課題】  オブジェクト相互の調和を考慮したカラー修正を目的とした知識データベースを備え、データ転送時間の制約なく、支援情報を提供することのできるデザイン支援システムを提供する。【解決手段】  デザイン支援システムは、端末装置１０と、プリンタ装置４０と、画像データのオブジェクトが配置される場所におけるオブジェクトの色調整ルールおよびオブジェクト毎の色調整推奨案を記憶した知識データベース６０とから構成される。プリンタ装置４０は、端末装置１０からモノクロ画像データ受信し、カラー画像データに変換して印刷する。プリンタ装置１０は、モノクロ画像データからオブジェクト毎にその位置座標および特徴データを含むオブジェクト情報を抽出し、オブジェクト色指定部で色を決定し、調和修正選択されると知識データベース６０に基づいてオブジェクト相互の調和を考慮した色調整推奨案を出力するオブジェクト色調整部を有する。【選択図】      図３
2005196379.tif 000002
【特許請求の範囲】
【請求項１】
生成した画像データをモノクロ画像データに変換して出力する端末装置と、モノクロ画像データをカラー画像データに変換して印刷するプリンタ装置と、画像データのオブジェクトが配置される場所におけるオブジェクトの色調整ルールおよびオブジェクト毎の色調整推奨案を記憶した知識データベースと、を備えたデザイン支援システムであって、
前記プリンタ装置は、モノクロ画像データをカラー画像データに変換するデータ変換部と、
前記モノクロ画像データからオブジェクト毎にその位置座標および特徴データを含むオブジェクト情報を抽出するとともに、調和修正を選択する調和修正選択部を有するオブジェクト判別部と、
調和修正が選択された場合に前記モノクロ画像データとオブジェクト情報に基づいて所定の色指定を行うオブジェクト色指定部と、
オブジェクト色指定部によって色指定されたオブジェクト毎に前記知識データベースに基づいてオブジェクト相互の調和を考慮した色調整推奨案を出力するオブジェクト色調整部と、を備えたことを特徴とするデザイン支援システム。
【請求項２】
前記プリンタ装置は出力画像データ作成部と印刷部とを備え、前記オブジェクト判別部は、調和修正が選択されなかった場合に、前記データ変換部で変換されたカラー画像データを出力画像データ作成部に送出し、該出力画像データ作成部で作成された画像データに基づいて印刷部で印刷することを特徴とする請求項１に記載のデザイン支援システム。
【請求項３】
前記デザイン支援システムは更に、前記オブジェクトに対して色値を与えるＬＵＴ群と、各オブジェクトごとの指定色を記憶した指定色テーブルを記憶したＬＵＴ記憶手段を備え、
前記オブジェクト色指定部は、前記指定色テーブルに基づいて各オブジェクトの色指定を行い、前記オブジェクト色調整部は、前記オブジェクト色指定部で指定された色値を前記知識データベースに基づいて判定して色調整推奨案を出力するようになしたことを特徴とする請求項１または２に記載のデザイン支援システム。
【請求項４】
前記オブジェクト判別部は、操作部からの選択信号に基づいて前記データ変換部の出力をオブジェクト色指定部または出力画像データ作成部に送出することを特徴とする請求項２または３に記載のデザイン支援システム。
【発明の詳細な説明】
【技術分野】
【０００１】
本発明は、それに限られるものではないが、インテリアやエクステリアなど種々の分野における画像デザイナーを支援するためのデザイン支援システムに関するものであり、特に、インテリアやエクステリアなど特定の該当分野におけるオブジェクト相互の調和を考慮したカラー修正を目的とした知識データベースを備え、デザイナーに支援情報を提供するようにしたデザイン支援システムに関するものである。
【背景技術】
【０００２】
近年、ＤＴＰ（デスクトップパブリッシング）の普及は目覚しく、小さなオフィスや個人でも利用できるようになって、パンフレット、カタログ、雑誌などもＤＴＰで作成されるようになってきたが、これらのドキュメントでは、読み手に効果的に意図を伝えるために、画像のデザインが重要である。
【０００３】
また、最近は、デジタルカメラなどで撮影した画像を簡単にコンピュータ上に入力し、フォトショップ（Ｐｈｏｔｏｓｈｏｐ）などの画像編集ソフトを利用してトリミングやトーン補正などを行い、あるいは、イラストレータ（Ｉｌｌｕｓｔｒａｔｏｒ）などのアプリケーションを利用してイラストを作成することによって、ソフトウェア上で簡単に画像デザインが行えるようになってきた。
【０００４】
このような背景から、最近では各種の分野においてコンピュータによる画像作成技術や、造形や色彩に関する専門的な知識を十分に会得していない、一般的なデザイナーが画像デザインを行う機会が飛躍的に増大している。例えば、インテリアやエクステリアなどの分野においては、部屋の間取りや家具、カーテンや壁紙など、デザイナー（インテリアコーディネータ）がコンピュータを利用して画像を作成し、あるいは、デジタルカメラやスキャナでコンピュータに入力した画像を加工して作成したデザイン画像をもとに顧客等とコミュニケーションをとることがよく行われるようになってきている。
【０００５】
デザイナーが作成した画像を顧客等とのコミュニケーションの手段として使用する場合には、コンピュータに接続された表示装置に画像を表示し、あるいは、コンピュータに接続されたカラープリンタで印刷した印刷物を媒介とすることになる。ところで、インテリアやエクステリアなどの分野におけるデザイン画像には、部屋の間取りや家具、カーテンや壁紙、床や天井の素材など複数のオブジェクトが描画されるが、個々のオブジェクトのカラーはデザイナーが個々に指定を行うことになる。
【０００６】
しかし、一般の画像作成者にとっては、画像作成アプリケーションには選択可能な処理が多数あるため、それぞれの処理の効果を十分理解できず、各種技法を効果的に利用できないという問題がある。すなわち、一般の画像作成者は、自分がデザインし、撮影し、収集した画像が読み手にどのような印象を与えるかを十分理解できないため、ソフトウェア上で行った処理によって自分の意図が表現できなくなり、あるいは、作成した画像が結果的にデザイナーの意図とは反対の印象を与えてしまう場合が往々にして生じる。
【０００７】
従って、個々のオブジェクトの色等を決定するにあたって、デザイナーの意図を効果的に表現し、あるいは、顧客に好印象を与えるように画像全体をデザインすることは、造形や色彩に関する専門知識や、コンピュータによる画像作成技術に精通していない一般的なデザイナーにとっては極めて難しい作業となる。
【０００８】
一般的なデザイナーのデザイン作業を支援するための装置として、例えば、下記の特許文献１に開示された画像デザイン支援装置がある。この画像デザイン支援装置は、デザイン知識を持たない一般のデザイナーに対して、画像をデザインする際の明確かつ詳細な指針を与えることができ、一般のデザイナーが意図を効果的に伝える印象を持つように画像全体をデザインすることができるようにすることを目的としたものである。そしてこの画像デザイン支援装置において、デザイナーは、画像データベースから類似印象画像群（自分がデザインしようとする画像と類似した印象を有する画像）および対比印象画像群（自分がデザインしようとする画像と反対の印象を有する画像）を選択するように構成されている。
【０００９】
そして、画像デザイン支援装置の画像解析部で、各画像の明度平均、明暗のバランス、色度平均、寒色暖色のバランス、彩度平均などの視覚特徴量を算出する。さらに、装置のコラージュ画像作成部で、類似印象画像群と対比印象画像群の視覚特徴量の平均値の差が大きい視覚的特徴を２つ選択し、類似印象画像群および対比印象画像群のそれぞれの画像を、２次元のグラフとして表示部に表示するようにしたものである。
【００１０】
一方、このようなデザイン支援システムにおいて、デザイナーがパーソナルコンピュータ等の端末装置で画像をデザインしてプリンタ装置に画像データを送信して印刷することになるが、画像データがカラー画像のイメージデータである場合、送信データ量が大きくなるため、その転送時間が長くなり、処理速度が制約される。このため、カラー画像データを高速に処理するための工夫がなされている。例えば、下記の特許文献２に高速ネットワークプリント技術が開示されている。この高速ネットワークプリンタは、高速にカラー画像処理するために画像データ転送を行った後に、該画像データをプリンタのハードディスク装置（ＨＤＤ）等のメモリに格納しておき、再度同じ画像の出力を行う際には、前記メモリに格納された画像データを用いて画像を再生するようになしたものである。
【００１１】
すなわち、特許文献２に開示された技術は、画像データと当該画像データの再生の有無を指示する画像再生情報が記録された情報記録媒体から必要な情報を読み取ることによって、画像出力データの生成処理が行われ、所望の画像データをネットワークを介してプリンタに転送することによって画像を再生／出力するようになし、その画像データをプリンタ内部の不揮発性メモリに格納しておき、同じ画像を再生／出力する際には、前記不揮発性メモリ内部に格納された画像データを再利用するように構成したものであり、これによって情報記録媒体からの画像データ再転送を不要となし、高速な再生出力を可能としたものである。
【００１２】
【特許文献１】特開平１０−１８８０２３号公報
【特許文献２】特開２００１−２２５５１４号公報
【発明の開示】
【発明が解決しようとする課題】
【００１３】
上記特許文献１に開示された画像デザイン支援装置は、デザイナーがパンフレットやポスター等を作成する際に、デザイナーに対してどのような印字領域においてデザインの対象物（オブジェクト）をどのような位置に配置し、また、オブジェクトの配置位置によってどのような配色がよいかを支援情報として表示するようにしたものである。例えば、宣伝用のパンフレットやポスターのデザインの分野においては、色彩工学的に、観察者に対して訴求力のあるオブジェクトの配置位置や配色が求められる。このため、前記の画像デザイン支援装置は、デザイナーに対してオブジェクトの配置や配色を支援情報として表示するようにしたものである。
【００１４】
しかしながら、このような画像デザイン支援装置は、作成する画像データによっては必ずしも有効に利用できるものではない。例えば、インテリアやエクステリアの画像作成にあたって、オブジェクトは種々の家具やカーテンなどのインテリア用品や天井や床などの内装材などであり、これらはそれぞれのオブジェクトが配置される場所（玄関、リビング、ダイニングキッチン、寝室など）の性格により建築工学、色彩工学的に専門的な一般的ルール、推奨すべき色等があり、個々のオブジェクトを全体的に調和のとれた色にすることが好ましく、個々のオブジェクトに調和のとれていない配色をした場合には、観察者に不快感を与えてしまうという問題点があった。すなわち、特許文献１に開示されたデザイン支援装置は広告業などに携わるイラストレータに適したものであり、建築業などに携わるインテリアコーディネータに適するものではなかった。
【００１５】
もちろん、色彩感覚には個人差があり、また設計家の意図するモチーフなどもあり、個々のオブジェクトに個性ある色彩を配色することを排除するものではないが、建築工学、色彩工学的な専門的知識に精通していないデザイナーがごく一般的な観察者を対象とする画像データを作成する場合に、これらの専門知識に基づく支援システムを提供できることが好ましい。
【００１６】
また、前記特許文献２に開示されたネットワークシステムにおいては画像データのデータ転送に要する時間が長いといった問題は依然として解消されない。これは、デジタルカメラやスキャナで読み込んだ画像データがイメージデータであり、データサイズが大きいことに起因する。転送するデータサイズを小さくするためにカラー画像をモノクロ画像に変換して行うユーザもいるが再現される色がモノクロであるためにその画像データに対する色の効果が損なわれてしまうという問題があった。
【００１７】
本願の発明者は上記の問題点を解消すべく種々検討を重ねた結果、インテリアやエクステリアなど特定の該当分野におけるオブジェクト相互の調和を考慮したカラー修正を目的とした知識データベースを備え、デザイナーに支援情報を提供するようになし、端末装置で作成した画像データをモノクロ画像でプリンタ装置に送信し、プリンタ装置でカラー画像に変換するようになせば、上記問題点を解消できることを見出し、本発明を完成するに至ったものである。
【００１８】
すなわち、本発明は、前記の問題点を解消することを課題とし、画像データの転送速度による制約をなくすとともに、オブジェクト相互の調和を考慮したカラー修正を目的とした知識データベースを備え、デザイナーに支援情報を提供することのできるデザイン支援システムを提供することを目的とする。
【課題を解決するための手段】
【００１９】
前記課題を解決するために、本願の請求項１に係る発明は、生成した画像データをモノクロ画像データに変換して出力する端末装置と、モノクロ画像データをカラー画像データに変換して印刷するプリンタ装置と、画像データのオブジェクトが配置される場所におけるオブジェクトの色調整ルールおよびオブジェクト毎の色調整推奨案を記憶した知識データベースと、を備えたデザイン支援システムであって、
前記プリンタ装置は、モノクロ画像データをカラー画像データに変換するデータ変換部と、
前記モノクロ画像データからオブジェクト毎にその位置座標および特徴データを含むオブジェクト情報を抽出するとともに、調和修正を選択する調和修正選択部を有するオブジェクト判別部と、
調和修正が選択された場合に前記モノクロ画像データとオブジェクト情報に基づいて所定の色指定を行うオブジェクト色指定部と、
オブジェクト色指定部によって色指定されたオブジェクト毎に前記知識データベースに基づいてオブジェクト相互の調和を考慮した色調整推奨案を出力するオブジェクト色調整部と、を備えたことを特徴とする。
【００２０】
また、本願の請求項２に係る発明は、請求項１のデザイン支援システムにおいて、プリンタ装置が更に、出力画像データ作成部と印刷部とを備え、前記オブジェクト判別部は、調和修正が選択されなかった場合に、前記データ変換部で変換されたカラー画像データを出力画像データ作成部に送出し、該出力画像データ作成部で作成された画像データに基づいて印刷部で印刷することを特徴とする。
【００２１】
また、本願の請求項３に係る発明は、請求項１または２のデザイン支援システムが更に、オブジェクトに対して色値を与えるＬＵＴ群（Look Up Table：色変換テーブル）と、各オブジェクトごとの指定色を記憶した指定色テーブルを記憶したＬＵＴ記憶手段を備え、
前記オブジェクト色指定部は、前記指定色テーブルに基づいて各オブジェクトの色指定を行い、前記オブジェクト色調整部は、前記オブジェクト色指定部で指定された色値を前記知識データベースに基づいて判定して色調整推奨案を出力するようになしたことを特徴とする。
【００２２】
また、本願の請求項４に係る発明は、請求項２または３の発明において、オブジェクト判別部は、操作部からの選択信号に基づいて前記データ変換部の出力をオブジェクト色指定部または出力画像データ作成部に送出することを特徴とする。
【発明の効果】
【００２３】
請求項１に係る発明においては、端末装置で作成した画像データをプリンタ装置にモノクロ画像データで送信し、プリンタ装置でカラー画像に変換し、各オブジェクトの位置およびオブジェクトデータを抽出し、知識データベースを参照してオブジェクト毎にオブジェクト相互の調和を考慮した色調整の推奨案を出力するオブジェクト色調整部を備えたものであるから、デザイナーはオブジェクト色調整部から出力された推奨案に従って容易に各オブジェクトの色修正を行うことができるようになる。また、端末装置からプリンタ装置にカラー画像データのまま転送する時間と比較して画像データの転送時間を短くすることができる。
【００２４】
また、請求項２に係る発明においては、請求項１のデザイン支援システムにおいて、プリンタ装置が出力画像データ作成部と印刷部とを備え、前記オブジェクト判別部は、調和修正が選択されなかった場合に、前記データ変換部で変換されたカラー画像データを出力画像データ作成部に送出し、該出力画像データ作成部で作成された画像データに基づいて印刷部で印刷するものであるから、デザイナーは色調整によらず、自身がデザインした画像データをそのまま印刷することができる。
【００２５】
また、請求項３に係る発明においては、請求項１または２記載のデザイン支援システムが更に、前記オブジェクトに対して色値を与えるＬＵＴ群と、各オブジェクトごとの指定色を記憶した指定色テーブルを記憶したＬＵＴ記憶手段を備え、オブジェクト色指定部が、前記指定色テーブルに基づいて各オブジェクトの色指定を行い、オブジェクト色調整部が、オブジェクト色指定部で指定された色値を知識データベースに基づいて判定して色調整推奨案を出力するものであるから、デザイナーはオブジェクト色調整部から出力された推奨案に従って容易に各オブジェクトの色修正を行うことができるようになる。
【００２６】
また、請求項４に係る発明においては、請求項２または３記載のデザイン支援システムにおいて、オブジェクト判別部は、操作部からの選択信号に基づいて前記データ変換部の出力をオブジェクト色指定部または出力画像データ作成部に送出するものであるから、デザイナーは色調整によらず、自身がデザインした画像データをそのまま印刷することができる。
【発明を実施するための最良の形態】
【００２７】
以下、本発明の具体例を実施例及び図面を用いて詳細に説明する。図１は、本発明に係るデザイン支援システムの構成をシステム構成図である。図２は、端末装置の要部の構成を示すブロック図であり、図３は、プリンタ装置の構成を示すブロック図である。図４は、ＬＵＴ記憶手段の概略構成を示す概念図であり、図５は、色指定テーブルの構成を示す概念図である。図６は、知識データベースの概略構成を示す概念図である。
【実施例】
【００２８】
本発明の実施例に係るデザイン支援システムは、図１に示すように、画像作成および入力を行うパーソナルコンピュータ等からなる端末装置ＰＣ１０、画像入力手段としてのスキャナ２０、もしくはデジタルカメラ３０と、画像再生装置としてのプリンタ装置４０や複写機７０とから構成されている。プリンタ装置４０、複写機７０にはそれぞれ磁気ディスク装置等の記憶装置５０、６０がＬＡＮ（Local Area Network）等のネットワーク１１に接続された構成となっている。
【００２９】
端末装置１０は、スキャナ２０やデジタルカメラ３０等の画像入力装置から画像データを入力することができ、入力された画像データを処理しカラー画像データをプリンタ４０、複写機７０などに出力する。画像データはスキャナ２０やデジタルカメラ３０から端末装置１０に入力される他、端末装置１０において種々の画像作成アプリケーションを使用して作成することもでき、また、スキャナ２０やデジタルカメラ３０から入力した画像データと画像作成アプリケーションを使用して作成した画像データとを編集、合成することもできる。
【００３０】
図２は、端末装置１０の要部の構成を示す図である。端末装置１０が作成した画像データはネットワーク１１を介してプリンタ装置４０に送られるが、作成した画像データがモノクロ画像データの場合はデータ送信部１６からそのまま、すなわちモノクロ画像データのままデータ送信部１６からプリンタ装置４０に送信され、作成した画像データがカラー画像データの場合には、データ変換部１４でモノクロ画像データに変換され、データ送信部１６からプリンタ装置４０に送信される。このモノクロ画像データは、後述するようにプリンタ装置４０でカラー画像に変換されて印刷される。このため、端末装置１０とプリンタ装置４０との間の画像データの転送は、カラー画像データの転送に比べて短時間で行うことができ、ネットワーク１１の負荷を増大させることがない。
【００３１】
図３は、プリンタ装置４０の詳細な構成を示す図である。図３に示すようにプリンタ装置４０は、データ受信部４１、データ変換部４２、オブジェクト判別部４３、オブジェクト色指定部４５、オブジェクト色調整部４６、出力画像データ作成部４７、印刷部４８とから構成されている。データ受信部４１は、端末装置１０から送信された画像データを受信するものであり、データ変換部４２はデータ受信部４１で受信したモノクロ画像データをＲＧＢカラー画像データに変換してモノクロ画像データとともに、オブジェクト判別部４３に受け渡す。
【００３２】
オブジェクト判別部４３は、モノクロ画像データから家具や天井、床、カーテンなどのオブジェクトデータを切り出しその特徴データを取得し、また各オブジェクトの座標値（位置）を取得し、その位置座標と特徴データをオブジェクト情報としてオブジェクト色指定部４５に送る。
ここでいうオブジェクトの特徴データとは、そのオブジェクトが使用される空間区分を示したＩＤと、そのオブジェクト自体を示すオブジェクトＩＤを意味している。空間区分とは、例えば、玄関やリビング等のパブリック的性格のゾーン、ダイニングやその壁等のセミパブリック的性格のゾーン、ベッドルームやその天井等のプライベートな性格のゾーンであり、これらの空間区分に割り当てられたＩＤであり、オブジェクトＩＤはダイニングルームカーテンのＩＤ、ダイニングルームテーブルクロスのＩＤ等、オブジェクト自体に割り当てられたＩＤである。
【００３３】
また、オブジェクト判別部４３は、このオブジェクト情報と、データ変換部４２で変換されたＲＧＢカラー画像データを出力画像データ作成部に送る。この動作の切換えのためにオブジェクト判別部４３は、修正選択部４３１を備えている。
すなわち、修正選択部４３１は、プリンタ装置４０の操作部（図示せず）の操作入力によって、後述の知識データベース６０を用いた色調整を行って印刷するか、データ変換部４２で変換したカラー画像データのまま印刷するか否かの指定を受けて動作を切換えるものであり、色調整が指定されれば、データ変換部４２から受け取ったモノクロ画像データからオブジェクトを抽出し、その位置座標と特徴データをオブジェクト情報としてオブジェクト色指定部４５に送り、色調整が指定されなければ、データ変換部４２で変換されたＲＧＢカラー画像データを出力画像データ作成部４７に送るものである。
【００３４】
このため、オブジェクト判別部４３の修正選択部４３１は、図示しない操作部にオブジェクト相互に調和のとれた色に修正するか否かをデザイナーに選択させる表示を行い、調和修正が選択されなかった場合は、ＲＧＢカラー画像データを出力画像データ作成部４７に転送し、調和修正が選択された場合はオブジェクト情報をオブジェクト色指定部４５に転送する。
【００３５】
調和修正が選択されずにＲＧＢカラー画像データが出力画像データ作成部４７に転送されると、該出力画像データ作成部４７は、ＬＵＴ記憶手段５０から標準のＬＵＴ（色変換テーブル）とそれぞれのオブジェクトに対応したＬＵＴを獲得し、受け取ったオブジェクトデータを色変換して（プリンタなどの出力機器用のカラースペースであるＣＭＹＫ値に変換して）オブジェクトの色値を決定する。ＬＵＴ記憶手段５０はハードディスク装置（ＨＤＤ）により構成されるものであり、図４に示すように標準ＬＵＴ５２、家具ＬＵＴ５３、カーテンＬＵＴ５９などのようにインテリアやエクステリア分野で使用される各オブジェクトに対応したＬＵＴ群５１を記憶したものである。
【００３６】
調和修正が選択された場合、オブジェクト判別部４３は、データ変換部４２から受け取ったモノクロ画像データからオブジェクトを抽出し、その位置座標と特徴データをオブジェクト情報としてオブジェクト色指定部４５に送る。オブジェクト色指定部４５では、オブジェクト情報から、ＬＵＴ記憶手段５０に記憶されている色指定テーブルを参照して各オブジェクトの色を決定する。図５は、ＬＵＴ記憶手段５０に記憶された色指定テーブル５０ａの構成を示す図であり、色指定テーブル５０ａは、この図に示すように玄関、リビング壁〜寝室ベッドなどの各オブジェクト毎にＲＧＢ指定色をテーブル化したものである。例えば、玄関はＲＧＢのそれぞれの値が１００、５０、４０で指定されており、オブジェクト判別部４３から受け取った各オブジェクトにはこの色指定テーブル５０ａで指定されている値が適用される。この色指定テーブル５０ａの設定はデザイナーが有するインテリア等の知識によって任意に決定したものであってよい。
【００３７】
オブジェクト色指定部４５で各オブジェクトの色指定が行われると、このデータがオブジェクト色調整部４６に送られる。オブジェクト色調整部４６は、知識データベース６０を参照し、各オブジェクトの色値の調和がとれるように色調整の推奨案を表示部（図示せず）に表示する。
【００３８】
知識データベース６０は、図６に示すようにオブジェクトが配置されるゾーンの性格による色調整ルールテーブル６１と各オブジェクトの色調整推奨案および合否基準を記憶した色調整推奨テーブル６２とから構成されている。色調整ルールテーブル６１は、色を明度（Ｌ：Lightness）／彩度（Ｃ：Chroma）／色相（Ｈ：Hue）に尺度化したマンセルシステムの色空間およびＬＣＨ色空間に基づいて各オブジェクトが配置されるゾーンの色調整ルールを記憶したものであり、色調整推奨テーブル６２は、各オブジェクト毎にそのオブジェクトが配置されるゾーンおよびオブジェクト毎の色調整推奨案とオブジェクトの色値が色調整ルールあるいは色調整推奨案に合っているか否かを判定するための合否基準を、マンセルの色空間およびＬＣＨ色空間に基づいて記憶したものである。
【００３９】
例えば、色調整ルールテーブル６１について説明すると、建物の玄関や階段、リビングなどのゾーンはパブリック的な性格、ダイニングルームやキッチンなどのゾーンはセミパブリック的な性格、ベッドルームなどのゾーンはプライベート的な性格を有すると考えられる。パブリックゾーンに配置される家具やパブリックゾーンの壁、床、天井などの内装材の色は相互に統一性、調和がとれていることが好ましいため、マンセル色相環の色相（Ｈ）の最大差が３０°以下を保つことをルール化して色調整ルールテーブル６１に登録（図４のＨｕｅ＜３０°の記述を参照）してある。
【００４０】
また、色調整推奨テーブル６２について説明すると、オブジェクト毎にそのオブジェクトが配置されるゾーン区分（前述のパブリック、セミパブリック、プライベートの区分）が登録されており、また、各オブジェクトに対して推奨する色の条件（図４、色調整推奨テーブル６２の推奨欄参照）とオブジェクトの色値が、推奨する色の条件にあっているか否か（合否）を判定するための合否基準（図４、色調整推奨テーブル６２のＮＧ欄参照）が登録されている。
【００４１】
例えば、「玄関」はパブリックゾーンに属し、一般的には暖色系の色が推奨されるので、マンセル色相の５ＲＰから５Ｙの間の色を色調整推奨案（図の推奨欄参照）としている。そして、「玄関」の色値の合否基準（図のＮＧ欄参照）は訪問者を温かく受け入れるように高彩度の色は避け、ＬＣＨ色空間で彩度値Ｃが１００よりも大きいときには、全体の調和が図られていないと判断するように「Ｃ＞１００（ＬＣＨ色空間の彩度値）」を登録してある。
【００４２】
また、「階段」は明度差が小さいと段を踏み外す危険があるため、段の色の変わりめで明度差が「２」以下の場合は危険ありと判断するように「ΔＬ＜２（Δは２色間の明度差：ＬＣＨ色空間の明度Ｌ）を合否基準として登録し、推奨案は明度差ΔＬ５よりも大きい「ΔＬ＞５」を登録してある。同様にしてリビングの壁、天井、床、ダイニングルームカーテン、同テーブルクロス、ベッドルーム等についての色調整推奨案と合否基準が登録されている。
【００４３】
なお、以上の説明において、色調整ルールテーブル６１と色調整推奨テーブル６２はマンセルとＬＣＨの２つの色空間を利用して作成した色調整ルールおよび色調整推奨案、合否基準を記憶した知識データベースとしたが、マンセルシステムの全ての色をＬＣＨ色空間に置き換えることによりＬＣＨ色空間のみを利用した知識データベースとすることもできる。
【００４４】
以上説明したように、本発明に係るデザイン支援システムによれば、端末装置からプリンタ装置への画像データ転送をモノクロ画像データとして行うため、その転送速度を速くすることができ、転送された画像データから各オブジェクトの位置および特徴データを抽出し、知識データベースを参照してオブジェクト毎にオブジェクト相互の調和を考慮した色調整の推奨案を出力するオブジェクト色調整部を備えたものであるから、専門的な知識を持たないデザイナーであっても色調整部から出力された推奨案に従って容易に各オブジェクトの色修正を行うことができるようになる。
【図面の簡単な説明】
【００４５】
【図１】本発明に係るデザイン支援システムの構成をシステム構成図である。
【図２】端末装置の要部の構成を示すブロック図である。
【図３】プリンタ装置の構成を示すブロック図である。
【図４】ＬＵＴ記憶手段の概略構成を示す概念図である。
【図５】色指定テーブルの構成を示す概念図である。
【図６】知識データベースの概略構成を示す概念図である。
【符号の説明】
【００４６】
１０・・・端末装置
１１・・・ネットワーク（ＬＡＮ）
２０・・・スキャナ
３０・・・デジタルカメラ
４０・・・プリンタ装置
５０・・・ＬＵＴ記憶手段（ＨＤＤ）
５０ａ・・色指定テーブル
５１・・・ＬＵＴ群
５２・・・標準ＬＵＴ
５３・・・家具ＬＵＴ
５９・・・カーテンＬＵＴ
６０・・・知識データベース
６１・・・色調整ルールテーブル
６２・・・色調整推奨テーブル
７０・・・複写装置
４１・・・データ受信部
４２・・・データ変換部
４３・・・オブジェクト判別部
４３１・・修正選択部
４５・・・オブジェクト色指定部
４６・・・オブジェクト色調整部
４７・・・出力画像データ作成部
４８・・・印刷部
【図１】
2005196379.tif 000003
【図２】
2005196379.tif 000004
【図３】
2005196379.tif 000005
【図４】
2005196379.tif 000006
【図５】
2005196379.tif 000007
【図６】
2005196379.tif 000008